(57)【要約】【課題】電子化された搬入票入力画面へのアクセスを簡易化しつつ、セキュリティ性を高め、スムーズな業務遂行を支援するコンテナターミナル搬入票電子化システムを提供する。【解決手段】サーバ１２は、荷主端末１４を介して入力される、識別番号と、識別番号に関連づけた情報の登録、ターミナル端末１６を介して入力される搬出コンテナの番号と、前記識別番号に関連づけた情報に基づいて生成される搬入票のベースを作成と、ＥＩＲに印字される読取コードの生成とを行う構成とし、ターミナル端末１６は、コンテナ番号の入力と、ＥＩＲに対する前記読取コードの印字とを可能な構成とし、倉庫端末１８は、専用ソフトによる読取コードの読み取りによる搬入票入力画面の開示と、セキュリティ画面のセキュリティキーの自動入力を可能としたことを特徴とする。【選択図】図１
2019156589.tif 000002
【特許請求の範囲】
【請求項１】
荷主端末とターミナル端末、業者端末、倉庫端末、及びサーバが、ネットワークを介して接続されることで、コンテナ物流情報を共有可能なコンテナターミナル搬入票電子化システムであって、
前記サーバは、前記荷主端末または荷主から依頼を受けた業者の前記業者端末を介して入力される、コンテナ物流に関する識別番号と、前記識別番号に関連づけた情報の登録と、ターミナル端末を介して入力される搬出コンテナのコンテナ番号と、前記識別番号に関連づけた情報とに基づいて生成される搬入票のベースの作成と、コンテナ搬出時にトレーラのドライバに発行されるＥＩＲに印字される読取コードの生成と、を行う構成とし、
前記ターミナル端末は、搬出コンテナのコンテナ番号を入力可能とすると共に、前記サーバにより生成された読取コードを該当コンテナの識別番号に対応したＥＩＲに印字可能な構成とし、
前記倉庫端末は、専用ソフトにより前記読取コードの読み取りを行う事で、前記搬入票の入力画面を開示可能とし、
前記読取コードは、前記搬入票の入力画面へアクセスするためのセキュリティ画面の変換により構成されるコードとし、前記専用ソフトを介した読み取りにより、前記セキュリティ画面に対するセキュリティキーの自動入力が成されることを特徴とするコンテナターミナル搬入票電子化システム。
【請求項２】
前記識別番号に関連づけた情報には少なくとも、コンテナ物流に携わる関連業者や、当該関連業者の業種や閲覧レベル、メールアドレスが含まれ、
前記サーバは、前記搬入票のベースが作成された後に、前記関連業者のメールアドレスに対して、前記搬入票の入力画面へアクセスするためのセキュリティ画面へのリンクポイントを添付したメールを送信することを特徴とする請求項１に記載のコンテナターミナル搬入票電子化システム。
【請求項３】
前記搬入票の入力画面は、関連業者に定められた前記業種や、前記閲覧レベルに応じて、関連情報の開示範囲が異なることを特徴とする請求項２に記載のコンテナターミナル搬入票電子化システム。
【請求項４】
前記サーバは、実入りコンテナのゲート受付が完了した信号を受け、前記搬入票の入力画面を無効とし、特定の関連業者による搬入票閲覧のみを可能とする処理を行うことを特徴とする請求項１乃至３のいずれか１項に記載のコンテナターミナル搬入票電子化システム。
【発明の詳細な説明】
【技術分野】
【０００１】
本発明は、コンテナ物流に係り、特に、コンテナターミナルへのコンテナの搬入に関連する作業の効率化を図る際に好適なコンテナターミナル搬入票電子化システムに関する。
【背景技術】
【０００２】
コンテナ物流に関し、例えば貨物を輸出する際には、コンテナターミナルから空コンテナをピックアップし、倉庫にて貨物をコンテナに詰め込み、貨物を詰め込んだコンテナ（実入りコンテナ）を港湾のコンテナターミナルへ搬入するという作業が行われる。
【０００３】
昨今、こうした作業における労力の軽減、および人的作業に伴うミスの低減を目的として、ネットワークを利用した情報の共有化に関する技術が種々提案されてきている。例えば特許文献１に開示されている技術は、ネットワークを利用したコンテナのピックアップ予約や搬入予約などを行う業務支援システムに関するものである。このシステムでは、荷主、あるいは荷主からの依頼を受けた運送会社が、ネットワークを介してサーバに、コンテナのピックアップ予約を行う。この時、ブッキング番号を含めた必要事項を入力することで、ブッキング番号をカギとして関連情報の読み出しを可能とする共有データの作成を行う。
【０００４】
予約が完了すると、コンテナを運送するトレーラのドライバが保有する携帯端末にメールを送信する。トレーラのドライバに送信されるメールには、ブッキング番号を読み出す二次元コード等が添付される。二次元コードは、コンテナターミナルにおけるゲートチェックの簡易化に利用され、リーダによる読み取りを行う事で、紙の搬入票等の提示を省く事が可能となる。
【０００５】
コンテナをピックアップした後、各作業工程においてネットワークを介して電子化搬入票情報入力画面を開き、積荷の重量やシール番号などの入力、実入りコンテナの搬入予約などの情報入力が行われる。
【先行技術文献】
【特許文献】
【０００６】
【特許文献１】特開２００４−１７８１５２号公報
【発明の概要】
【発明が解決しようとする課題】
【０００７】
特許文献１に開示されているような業務支援システムを利用することで、搬入票情報を一元化することができると共に、ブッキング番号、およびコンテナ番号に基づくデータの読み出しを行う事で、確認情報の間違い等を防ぐことが可能となる。
【０００８】
しかし、特許文献１に開示されているシステムでは、電子化搬入票情報へアクセスするためには、コンテナ毎に逐一ブッキング番号と、アクセス許可のためのパスワードを入力する必要がある。こうした入力作業は、取扱い数が少ない場合には問題にならない事であるが、取扱い数が増加した場合には、入力間違いが生じることとなる他、ブックキング番号毎に定めたパスワードの管理についても問題となる。さらに、このような業務支援システムでは、全ての関連業者がブッキング情報の全ての情報を閲覧することができるため、セキュリティ上の問題も生じ得る。
【０００９】
そこで本発明では、電子化された搬入票入力画面へのアクセスを簡易化しつつ、セキュリティ性を高め、スムーズな業務遂行を支援するコンテナターミナル搬入票電子化システムを提供することを目的とする。
【課題を解決するための手段】
【００１０】
上記目的を達成するための本発明に係るコンテナターミナル搬入票電子化システムは、荷主端末とターミナル端末、業者端末、倉庫端末、及びサーバが、ネットワークを介して接続されることで、コンテナ物流情報を共有可能なコンテナターミナル搬入票電子化システムであって、前記サーバは、前記荷主端末または荷主から依頼を受けた業者の前記業者端末を介して入力される、コンテナ物流に関する識別番号と、前記識別番号に関連づけた情報の登録と、ターミナル端末を介して入力される搬出コンテナのコンテナ番号と、前記識別番号に関連づけた情報とに基づいて生成される搬入票のベースの作成と、コンテナ搬出時にトレーラのドライバに発行されるＥＩＲに印字される読取コードの生成と、を行う構成とし、前記ターミナル端末は、搬出コンテナのコンテナ番号を入力可能とすると共に、前記サーバにより生成された読取コードを該当コンテナの識別番号に対応したＥＩＲに印字可能な構成とし、前記倉庫端末は、専用ソフトにより前記読取コードの読み取りを行う事で、前記搬入票の入力画面を開示可能とし、前記読取コードは、前記搬入票の入力画面へアクセスするためのセキュリティ画面の変換により構成されるコードとし、前記専用ソフトを介した読み取りにより、前記セキュリティ画面に対するセキュリティキーの自動入力が成されることを特徴とする。
【００１１】
また、上記のような特徴を有するコンテナターミナル搬入票電子化システムでは、前記識別番号に関連づけた情報には少なくとも、コンテナ物流に携わる関連業者や、当該関連業者の業種や閲覧レベル、メールアドレスが含まれ、前記サーバは、前記搬入票のベースが作成された後に、前記関連業者のメールアドレスに対して、前記搬入票の入力画面へアクセスするためのセキュリティ画面へのリンクポイントを添付したメールを送信する構成とすると良い。このような特徴を有する事によれば、メールを受信した関連業者は、搬入票に対して必要情報を入力するタイミングを知ることができる。また、メールを受信した関連業者は、リンクポイントを選択するだけで、情報の入力が要求される搬入票の入力画面へアクセスするためのセキュリティ画面を表示することができる。これにより、識別番号の入力等によるアクセスを行う必要が無くなる。また、識別番号の手入力による入力ミスの発生も防止することができる。
【００１２】
また、上記のような特徴を有するコンテナターミナル搬入票電子化システムにおいて前記搬入票の入力画面は、関連業者に定められた前記業種や、前記閲覧レベルに応じて、関連情報の開示範囲を異ならせるようにすることが望ましい。このような特徴を有する事によれば、関連業者による情報入力に不必要な情報の開示を避けることができる。これにより、セキュリティ性を向上させることができる。
【００１３】
さらに、上記のような特徴を有するコンテナターミナル搬入票電子化システムにおいて前記サーバは、実入りコンテナのゲート受付が完了した信号を受け、前記搬入票の入力画面を無効とし、特定の関連業者による搬入票閲覧のみを可能とする処理を行うようにすることができる。ここで、特定の関連業者とは、例えば荷主を含む海貨やターミナルなどとすれば良い。このような特徴を有する事により、実入りコンテナ搬入後の搬入票情報の書き換えを防ぐことができると共に、第三者、あるいは業務上の関連の薄い業者による搬入票の閲覧を避け、セキュリティ性の向上を図ることができる。
【発明の効果】
【００１４】
上記のような特徴を有するコンテナターミナル搬入票電子化システムによれば、ブッキング情報へのアクセスを簡易化しつつ、セキュリティ性を高め、スムーズな業務遂行を支援することが可能となる。
【図面の簡単な説明】
【００１５】
【図１】実施形態に係るコンテナターミナル搬入票電子化システムの構成と情報の授受の関係を示すブロック図である。
【図２】実施形態に係るコンテナターミナル搬入票電子化システムを適用した場合における情報の流れとコンテナの移動の関係を示すフロー図である。
【図３】閲覧レベルに応じた搬入票入力時の開示情報の制限についての一例を示す図である。
【発明を実施するための形態】
【００１６】
以下、本発明のコンテナターミナル搬入票電子化システムに係る実施の形態について、図面を参照して詳細に説明する。なお、以下に示す実施形態は、本発明を実施する上での好適な一例に過ぎず、各要素は、その機能を逸脱しない範囲において変更可能である。
【００１７】
［システムの構成］
本実施形態に係るコンテナターミナル搬入票電子化システム（以下、単に搬入票電子化システム１０と称す）は、サーバ１２と、荷主端末１４、ターミナル端末１６、倉庫端末１８、および複数の業者端末（陸運端末２０、海貨端末２２）を基本として構成されている。
【００１８】
サーバ１２は、実施形態に係るコンテナ物流情報を管理し、搬入票の作成、および管理、搬入表作成のために必要な表示情報の構築、およびメールの送信等を担う要素である。本実施形態に係るサーバ１２は、ネットワークを介して各端末と接続することで、情報の授受を行う事を可能に構成されている。具体的な構成としては限定されるものではなく、実体的なコンピュータであっても良いし、ネットワーク上に仮想的に構築されたクラウドサーバであっても良い。また、複数のコンピュータの共同によって構築されるグリッド型のサーバであっても良い。
【００１９】
なお、実施形態に係るサーバ１２による表示情報の構築には、詳細を後述するターミナル端末１６を介して出力（印字）されるＱＲコード（登録商標）の作成も含まれる。ここで作成されるＱＲコード（登録商標）は、倉庫端末１８による搬入票情報を入力するための画面へのアクセスを行うためのものである。本実施形態では、セキュリティ性を確保するために、該当画面へアクセスするための一次画面（セキュリティ画面）のＵＲＬに基づいたＱＲコード（登録商標）の作成が成される。セキュリティ画面とは、該当画面へのアクセスのためのセキュリティキー入力画面などであれば良い。
【００２０】
また、実施形態に係るサーバ１２は、登録されている企業端末（陸運端末２０、海貨端末２２）等にメールを送信する際、ベースが作成された搬入票に対する情報入力画面へアクセスを行うためのＵＲＬをリンクポイントとして添付する機能を有する。ここで、リンクポイントを介してアクセスされる画面は、上記セキュリティ画面のように、パスワード入力を必要とする画面が開かれることとなるようにすると良い。このような構成とすることで、ブッキング番号の入力を省略することができる一方で、登録されたメールアドレスが誤っていたり、ハッキングなどにより送信情報が第三者に知られた場合であっても、セキュリティ性を確保することができるからである。
【００２１】
荷主端末１４は、コンテナの輸出または輸入を行う荷主が保有する端末であり、ネットワークを介してサーバ１２に接続可能に構成されている。荷主端末１４を介してコンテナ物流に必要な各種情報の入力を行うことで、サーバ１２に対する情報の登録を行うことが可能となる。このため、荷主端末１４には、少なくとも、通信機能と、表示機能、及び入力機能が備えられていれば良い。
【００２２】
表示機能とは、荷主端末１４を介して取得可能な情報を視認可能に表示するための手段であり、ディスプレイなどの表示画面であれば良い。また、入力機能は、表示画面に表示された入力指示部に対する入力情報を入力するための機能であり、表示画面を利用したタッチパネルの他、キーボードやマウスなどを設ける構成としても良い。
【００２３】
ターミナル端末１６は、港湾のコンテナターミナルなどに備えられる端末であり、ＴＯＳ（Ｔｅｒｍｉｎａｌ  Ｏｐｅｒａｔｉｏｎ  Ｓｙｓｔｅｍ）の一部、あるいはＴＯＳと協働可能な端末とすることができる。ターミナル端末１６は、空コンテナの搬出時に、サーバ１２に対してコンテナ番号を登録する役割の他、実入りコンテナが搬入される際に搬入票情報を確認するための役割を担う。このため、ターミナル端末１６にも、表示機能と入力機能が備えられている。
【００２４】
また、ターミナル端末１６には、表示機能、入力機能の他、空コンテナを搬出する際にトレーラのドライバに手渡されるＥＩＲ（Ｅｑｕｉｐｍｅｎｔ  Ｉｎｔｅｒｃｈａｎｇｅ  Ｒｅｃｅｉｐｔ）に対してＱＲコード（登録商標）を印字するための出力機能が付帯されている。出力機能としては、プリンタなどの出力手段であれば良く、ＱＲコード（登録商標）を印刷するための専用品であっても、別に設けられた汎用的なものであっても良い。出力手段がターミナル端末１６と別に設けられている場合には、出力機能は、出力手段に対して出力信号を出力可能な機能とすることができる。
【００２５】
倉庫端末１８は、荷主の荷物を保管する倉庫に備えられる端末である。倉庫端末１８は、少なくともＱＲコード（登録商標）の読み取り機能と、表示機能、および情報の入力機能を備えるものであれば良く、例えば専用、または汎用のタブレット型端末などとすることができる。ＱＲコード（登録商標）の読み取り機能は、ＥＩＲに印刷されたＱＲコード（登録商標）の読み取りを行うための機能であり、専用ソフトを記録しておくことが望ましい。専用ソフトには、ＱＲコード（登録商標）の読み取りによって表示されるセキュリティ画面のセキュリティキーが記憶されており、セキュリティ画面が開示された後に自動でセキュリティキーの入力を成すものとすると良い。このような機能を備えることにより、ＱＲコード（登録商標）の読み取りを行うだけで、表示手段に搬入票に必要な情報の入力画面が表示されることとなると共に、一般的なＱＲコード（登録商標）の読み取りだけでは、該当する入力画面へのアクセスができず、セキュリティー性も確保することが可能となる。
【００２６】
表示機能と入力機能は、上述した荷主端末１４やターミナル端末１６と同様であれば良い。すなわち、表記機能としては、ディスプレイなどの表示画面であれば良く、入力機能としては、表示画面を利用したタッチパネルの他、キーボードやマウスなどを設けるものであっても良い。
【００２７】
業者端末（陸運端末２０、海貨端末２２）は、コンテナ物流に関連する様々な業者が保有する端末である。業者端末の具体例としては、例えば、陸運業者（陸運）が保有する陸運端末２０や、海運貨物取扱業者（海貨）が保有する海貨端末２２などを挙げることができる。各業者端末２０，２２は、それぞれ通信機能の他、表示機能、および入力機能を備えるものとする。ここで、表示機能、および入力機能に関しては、上述した荷主端末１４、ターミナル端末１６、および倉庫端末１８と同様とすることができる。
【００２８】
［システムの運用］
次に、上記のような構成の搬入表電子化システムの運用について図１、図２を参照して説明する。なお、以下の説明では、一例として、コンテナを輸出する場合の運用についての説明を行う。
【００２９】
本実施形態に係る搬入票電子化システム１０では、まず、荷主端末１４を介して荷主が、サーバ１２に対して輸出コンテナのブッキング番号（識別番号）とコンテナ情報、および関係業者の情報の登録を行う。ここで、コンテナ情報とは、輸出に利用するコンテナの種類やサイズ等の情報である。また、関係業者とは、輸出コンテナの搬入票に必要な情報の入力に関連する業者であり、海貨や、輸出貨物の積み込みを行う倉庫、およびコンテナの搬送を行う陸運などである。
【００３０】
また、関連業者の情報とは、業種やメールアドレスの他、予め定めた閲覧レベルなどである。閲覧レベルとは、搬入票の情報の表示項目を制限するためのものである。本実施形態に係る搬入票電子化システム１０では、サーバ１２を介して電子化された搬入票情報を荷主の他、複数の業者で共有し、各所で必要情報の入力を行うこととなる。この際、業務上の情報入力に不必要な情報の閲覧を制限することで、搬入票に関する情報のセキュリティ性を確保することが可能となる。なお、サーバ１２に対する輸出コンテナのブッキング番号、及び関係業者の登録は、荷主に代わり、荷主からの依頼を受けた海貨が行う事もできる（ステップ１）。
【００３１】
次に、サーバ１２に登録されたブッキング番号により、空コンテナの搬出が行われる。ターミナルから搬出される空コンテナが決定した事により、輸出に使用されるコンテナのコンテナ番号が定まる。ターミナルでは、ターミナル端末１６を介してサーバ１２に、ブッキング番号に対応したコンテナのコンテナ番号の入力が行われる。
【００３２】
そして、空コンテナを搬出する際に出力し、運転手に手渡される帳票（ＥＩＲ）には、ＱＲコード（登録商標）が印字される。ＱＲコード（登録商標）は上述したように、サーバ１２により作成される。ＱＲコード（登録商標）は、倉庫端末１８を介して搬入票に必要な情報を入力する入力画面へのアクセスを行うためのセキュリティ画面のＵＲＬに基づいて作成される。このため、ＱＲコード（登録商標）は、ブッキング番号と、コンテナ番号に基づく入力画面へのアクセスのためのセキュリティ画面のＵＲＬに基づいて作成されることとなる（ステップ２、３）。
【００３３】
また、ターミナル端末１６を介したコンテナ番号の入力が成されることで、サーバ１２では、ブッキング番号に対応した搬入票のベースが作成される（ステップ４）。サーバ１２は、搬入票のベースを作成した後、登録されている関係業者のメールアドレスに対して、搬入票に対する必要情報の入力を促すメールを送信する。この時メールには、各業者に定められた閲覧レベルに応じた開示情報と、必要情報を入力するための入力枠を表示する入力画面へのアクセスのためのセキュリティ画面のＵＲＬが、リンクポイントとして添付される。このようなメールを受信することにより、関連業者は、搬入票に対して必要情報を入力するタイミングを知ることができる。また、メールを受け取った関連業者は、リンクポイントを開く事でセキュリティ画面へのアクセスが可能となる。このため、セキュリティ画面へのアクセスのためのＵＲＬの入力等の手間を省くことができる。
【００３４】
また、倉庫では、メールを受け取る事により、ターミナルから空コンテナが搬出された事を知る事ができ、荷詰めのための準備を行うことが可能となる。ここで、陸運へのメールの送信は、他の関連業者による必要情報の入力が終え、搬入票が完成した後に行われるようにしても良い。陸運による入力情報は、基本的に、対象となるコンテナを輸送するトレーラやドライバのＩＤ、あるいはターミナルのゲートで受付を行う際に搬入票情報を引き出すためのキーとなるからである。また、陸運業者は、メールに添付されたＵＲＬから搬入票の入力画面を開き、搬入票に定められたユニークなＩＤ（搬入票ＩＤ）の確認作業も行う。搬入票ＩＤは、実入りコンテナを搬入する際に、ゲート受付時のキーとして利用することがあるからである（ステップ５）。
【００３５】
リンクポイントが付されたメールを受信した関連業者は、それぞれの業者端末（陸運端末２０、海貨端末２２）でメールを開き、本文に添付されているリンクポイントからセキュリティ画面を開く。そして、セキュリティ画面における入力項目にパスワードを入力することで、各閲覧レベルに応じて開示される搬入票入力画面にアクセスする。このように情報の閲覧に制限を設けて、各業者に不必要な情報や入力項目を非表示とすることで、セキュリティ性を確保することができる。
【００３６】
これに対し、空コンテナが持ち込まれる倉庫では、コンテナを輸送するトレーラのドライバが保持しているＥＩＲに印字されたＱＲコード（登録商標）の読み取りを行う。ここで、ＱＲコード（登録商標）の読み取りは、倉庫端末１８に記録されている専用ソフトを介して行うことで、セキュリティ画面へのアクセス後、自動でセキュリティキーの入力が成され、搬入票入力画面へのアクセスが可能となる。
【００３７】
ここで、例えば海貨による入力事項としては、取扱い船社名や本船名、陸揚港、荷渡地、取扱事業者名などの情報であり、倉庫での入力事項としては、貨物重量、シール番号、危険品情報、規格外貨物情報などの情報とされる。さらに、陸運による入力事項としては、上述したように、ＰＳカード番号等のドライバＩＤや、トレーラＩＤなどを挙げることができる（ステップ６）。各業者による搬入票に対する必要情報の入力が完了した後、搬入票の最終的な責任者となる業者（例えば海貨）が、署名を行い、搬入票を完成させる（ステップ７）。
【００３８】
実入りコンテナが倉庫からターミナルへ搬入される際、ゲートで受付を行う。ゲートでの受付は、トレーラのドライバが保有するＰＳカードの番号（ＰＳカード番号）や、トレーラヘッドのＩＤ（トレーラＩＤ）、あるいは搬入票のベースを生成した際に定められるユニークなＩＤ（搬入票ＩＤ）をキーとして、搬入票情報を引き出すことで成される。具体的には、ＰＳカード番号をキーとする場合には、ゲートに設けられたＰＳカードリーダにＰＳカードをかざせば良い。また、トレーラＩＤをキーとする場合には、ゲートに設けられたタッチパネル等を介してＩＤを入力したり、トレーラＩＤが記憶された無線通信タグなどをリーダにかざせば良い。さらに、搬入票ＩＤをキーとする場合には、ゲートに設けられたタッチパネル等を介してＩＤを入力すれば良い。
【００３９】
上記のような特定のＩＤをキーとして搬入票情報が引き出され、各種チェックが成される事でゲート受付が完了する（ステップ８）。
【００４０】
このようにして、情報の共有化と共にネットワーク上での搬入票の作成が成される搬入票電子化システム１０では、情報の入力が行われたタイミング、あるいは搬入票の完成登録が成されたタイミングで、実入りコンテナを搬入するターミナル側が保有する情報との照合、チェックが行われる。そして、入力情報とターミナル側が保有する情報との間で整合に問題がある場合には、ワーニングを表示する情報を発信する。ワーニングは、例えばサーバ１２を介して、不整合情報の入力を行った業者の業者端末（陸運端末２０、海貨端末２２等）に対して発信される。
【００４１】
また、上記のような搬入票電子化システム１０では、実入りコンテナのゲート受付が完了した際、ターミナル端末１６からサーバ１２に対し、特定のブッキング番号に対応したコンテナのゲート受付が完了した旨の信号が送信される。この信号を受けたサーバ１２は、該当するブッキング番号における搬入票の入力画面を無効とし、特定の関連業者による搬入票の閲覧のみを可能とする処理を行う。ここで、特定の関連業者とは、例えば荷主を含む海貨やターミナルなどとすれば良い。このような特徴を有する事により、実入りコンテナ搬入後の搬入票情報の書き換えを防ぐことができると共に、第三者、あるいは業務上の関連の薄い業者による搬入票の閲覧を避け、セキュリティ性の向上を図ることができる。
【００４２】
［作用、効果］
このような機能を備える事により、ターミナルのゲートで受付を行ったタイミングで問題が発覚するという事を避けることができる。ゲートで受付を行った際に問題が判明すると、ゲートでの受付待ちをした末にコンテナを搬入する事ができずに引き返すこととなり、大きなロスとなる。上記のようにして、入力情報の事前チェックが成される事により、“引き返し”といった大きなリスクを避けることができる。これにより、ゲート受付に関する無駄な順番待ちがなくなり、ターミナル前の渋滞緩和を図ることができる。また、ゲートチェックの迅速化を図ることが可能となる。
【００４３】
また、上記のような搬入票電子化システム１０では、倉庫においては、専用ソフトを介したＱＲコード（登録商標）の読み取りにより、搬入票の入力画面へのアクセスを可能としており、ブッキング番号やパスワードの入力を省いたアクセスの簡易化を実現している。また、倉庫以外の関連業者には、アクセスポイントを添付したメールを送信し、当該メールのアクセスポイントを介してセキュリティ画面を開くようにしたことで、ブッキング番号の入力といった手間を省く事ができる。さらに、関連業者の業種等に応じて閲覧レベルを定め、搬入票情報入力時の開示情報を制限することで、従来に比べてセキュリティ性の向上を図る事もできる。
【００４４】
ここで、閲覧レベルに応じた搬入票入力時の開示情報の制限についての一例を図３に示す。搬入票の表示、入力、更新項目が、船社、船名、航海番号、陸揚港、荷渡地、ブッキング番号、コンテナ番号、シール番号、コンテナ情報、危険品情報、規格外貨物情報、重量情報、取扱事業者、署名、ドライバ・トレーラ情報の１５項目である場合、荷主（荷主端末１４）、海貨（海貨端末２２）、およびターミナル（ターミナル端末１６）においては、全ての項目を閲覧することができる。また、荷主、海貨は、陸運（陸運端末２０）により入力が成されるドライバ・トレーラ情報以外の情報についての入力・更新が許可されている。
【００４５】
これに対し、シール番号、コンテナ情報、危険品情報、規格外貨物情報、重量情報等の入力を行う倉庫（倉庫端末１８）では、業務に関係が薄い、署名や、ドライバ・トレーラ情報についての閲覧が制限される。
【００４６】
また、ドライバ・トレーラ情報の入力を行う陸運（陸運端末２０）では、陸揚港や、荷渡地、および署名といった情報の閲覧が制限されることとなる。
【産業上の利用可能性】
【００４７】
上記実施形態では、ＥＩＲに印字するコードについて、ＱＲコード（登録商標）として説明したが、リンク先となるＵＲＬの情報変換が可能であれば、ＱＲコード（登録商標）以外の二次元コードや、バーコード、あるいは専用ソフトにより読取を可能とした識別コードなどとしても良い。
【００４８】
また、上記実施形態では、主にコンテナを輸出する際に搬入票電子化システム１０を適用する場合について説明した。しかしながら、本実施形態に係る搬入票電子化システム１０は、コンテナを輸入する際にも適用することができる。この場合には、コンテナ物流の識別番号として、ブッキング番号に変えて、コンテナ輸出地の船社が発行する帳票（船荷証券（ＢＬ：Ｂｉｌｌ  ｏｆ  Ｌａｄｉｎｇ））の番号であるＢＬ番号に関連づけられるようにして、情報入力を成すようにすれば良い。
【符号の説明】
【００４９】
１０………搬入票電子化システム、１２………サーバ、１４………荷主端末、１６………ターミナル端末、１８………倉庫端末、２０………陸運端末、２２………海貨端末。
【図１】
2019156589.tif 000003
【図２】
2019156589.tif 000004
【図３】
2019156589.tif 000005